(57)【要約】【課題】各機能の設定項目の設定確認が容易にし設定作業の容易化を図る。【解決手段】ディスプレイ１２の画面の上側に、用紙サイズ、オリエンテーション、コピー枚数、ロケーション、メディアタイプ、プロフィールを設定するための基本操作画面２１を表示し、画面の左側に、各種機能、例えば、１５個の設定項目をテキストによりタブ形式で一覧表示する設定内容確認画面２２を表示し、画面の右側に、設定内容確認画面２２で指定されたタブの設定項目の詳細設定用画面２３を表示する。【選択図】　図３
2004054432.tif 000002
【特許請求の範囲】
【請求項１】
ディスプレイに印刷や製本に関するものなど各種機能の設定項目をタブ形式で設定内容確認画面として一覧表示する手段と、前記設定内容確認画面に表示されているタブの１つを選択クリックすると、その詳細設定用画面が表示され、ここで所望の機能を選択すると前記設定内容確認画面に設定結果を反映させて、その変化状態を保持し、かつ、その設定項目の設定結果を前記設定内容確認画面に並べて表示する手段と、前記設定画面で設定された設定項目を印刷情報として設定する手段とを備え、設定された項目を、表示変化を保持した状態でタブ間に跨って前記設定内容確認画面に表示することを特徴とする印刷情報設定装置。
【請求項２】
コンピュータを、ディスプレイに印刷や製本に関するものなど各種機能の設定項目をタブ形式で設定内容確認画面として一覧表示する手段と、前記設定内容確認画面に表示されているタブの１つを選択クリックすると、その詳細設定用画面が表示され、ここで所望の機能を選択すると前記設定内容確認画面に設定結果を反映させて、その変化状態を保持し、かつ、その設定項目の設定結果を前記設定内容確認画面に並べて表示する手段と、前記設定画面で設定された設定項目を印刷情報として設定する手段として機能させ、設定された項目を、表示変化を保持した状態でタブ間に跨って設定内容確認画面に表示するためのプログラム。
【発明の詳細な説明】
【０００１】
【発明の属する技術分野】
本発明は、各種機能の設定項目をタブ形式で設定内容確認画面として一覧表示する印刷情報設定装置及びプログラムに関する。
【０００２】
【従来の技術】
印刷や製本に関するものなどの各種機能を印刷情報として設定する印刷情報設定装置をプリンタドライバに組み込んだものが知られている。従来のプリンタドライバは、ディスプレイに各種機能の設定項目をタブ形式で表示する場合、１つの機能を指定するタブをクリックすると、その機能の各設定項目は表示されるが、その他の機能についてはタブ内に隠れるようになっている。
【０００３】
【発明が解決しようとする課題】
しかし、このように他の機能がタブ内に隠れていると、他の機能にどのような設定を行ったかを確認したい場合には、その都度該当する機能のタブをクリックして表示させなければ確認することができず、設定作業が面倒であった。
【０００４】
そこで、本発明は、各機能の設定項目の設定確認が容易にできて設定作業が容易にできる印刷情報設定装置及びプログラムを提供する。
【０００５】
【課題を解決するための手段】
本発明は、ディスプレイに印刷や製本に関するものなど各種機能の設定項目をタブ形式で設定内容確認画面として一覧表示し、設定内容確認画面に表示されているタブの１つを選択クリックすると、その詳細設定用画面が表示され、ここで所望の機能を選択すると設定内容確認画面に設定結果を反映させて、その変化状態を保持し、かつ、その設定項目の設定結果を設定内容確認画面に並べて表示し、設定画面で設定された設定項目を印刷情報として設定し、設定された項目を、表示変化を保持した状態でタブ間に跨って設定内容確認画面に表示するものである。
【０００６】
【発明の実施の形態】
以下、本発明の実施の形態を、図面を参照して説明する。
図１は印刷情報設定装置の構成を示すブロック図で、１１はホストコンピュータ、１２はこのホストコンピュータ１１によって表示制御されるディスプレイ、１３は前記コンピュータ１１に外部から情報を入力するキーボードやマウス等の入力装置、１４は前記ホストコンピュータ１１によって駆動制御されるプリンタ、１５はＣＤ−ＲＯＭを駆動し、プログラムデータ等を読取って前記ホストコンピュータ１１に供給するＣＤ−ＲＯＭドライブである。
【０００７】
前記ホストコンピュータ１１は、プログラムとしてオペレーションシステム（ＯＳ）１６やアプリケーションソフト１７を設け、ＯＳ１６に前記プリンタ１４を駆動制御するプリンタドライバ１８を設けている。
【０００８】
前記プリンタドライバ１８に、印刷や製本に関するものなどの各種機能を印刷情報として設定する場合、ホストコンピュータ１１は前記ディスプレイ１２に図３に示す表示を行うようになっている。すなわち、画面の上側には、用紙サイズ、オリエンテーション、コピー枚数、ロケーション、メディアタイプ、プロフィールを設定するための基本操作画面２１が表示され、画面の左側には、各種機能の設定項目と、設定によって表示が変わる機能を示す部分とをテキストによりタブ形式で一覧表示する設定内容確認画面２２が表示され、画面の右側には、設定内容確認画面２２で指定された機能の設定項目の詳細設定用画面２３が表示されるようになっている。
【０００９】
前記設定内容確認画面２２には、例えば、一つ目のタブとして、「Ｅｎｌａｒｇｅ／Ｒｅｄｕｃｅ（拡大／縮小印刷機能）　：Ａｃｔｕａｌ　Ｓｉｚｅ（等倍）」、「Ｌａｙｏｕｔ（Ｎ　ｉｎ　１印刷機能）　：Ｎｏｎｅ（なし）」が表示され、二つ目のタブとして、「Ｄｕｐｌｅｘ（両面印刷機能）　：Ｎｏｎｅ（なし）」、「Ｓｏｒｔ　Ｍｏｄｅ（ソートモード機能）　：Ｎｏｎｅ（なし）」、「Ｅｖｅｎ／Ｏｄｄ（奇数偶数印刷機能）　：Ｏｆｆ（なし）」が表示されている。なお、上記において、Ｅｎｌａｒｇｅ／Ｒｅｄｕｃｅ、Ｌａｙｏｕｔ、Ｄｕｐｌｅｘ、Ｓｏｒｔ　Ｍｏｄｅ、Ｅｖｅｎ／Ｏｄｄは設定項目を示し、Ａｃｔｕａｌ　Ｓｉｚｅ、Ｎｏｎｅ、Ｏｆｆは設定によって表示が変わる機能を示している。
【００１０】
また、三つ目のタブとして、「Ｃｏｖｅｒ　Ｓｈｅｅｔ（表紙機能）　：Ｎｏｔｈｉｎｇ（なし）」、「Ｓｅｃｏｎｄａｒｙ　Ｐａｐｅｒ（差込紙機能）　：Ｎｏｔｈｉｎｇ（なし）」、「Ｂｉｎｄｉｎｇ　Ｍａｒｇｉｎ（綴じ代指定機能）　：Ｎｏｎｅ（なし）」、「Ｆｉｎｉｓｈｉｎｇ（ステープル／ホールパンチ機能）　：Ｎｏｎｅ（なし）」、「Ｗａｔｅｒｍａｒｋ（ウォーターマーク機能）　：Ｎｏｔｈｉｎｇ（なし）」、「Ｏｖｅｒｌａｙ　Ｉｍａｇｅ（オーバーレイイメージ機能）　：Ｎｏｔｈｉｎｇ（なし）」が表示されている。なお、上記において、Ｃｏｖｅｒ　Ｓｈｅｅｔ、Ｓｅｃｏｎｄａｒｙ　Ｐａｐｅｒ、Ｂｉｎｄｉｎｇ　Ｍａｒｇｉｎ、Ｆｉｎｉｓｈｉｎｇ、Ｏｖｅｒｌａｙ　Ｉｍａｇｅは設定項目を示し、Ｎｏｔｈｉｎｇ、Ｎｏｎｅは設定によって表示が変わる機能を示している。
【００１１】
また、四つ目のタブとして、「Ｒｅｓｏｌｕｔｉｏｎ（解像度機能）…」が表示され、五つ目のタブとして、「Ｄｅｓｔｉｎａｔｉｏｎ（排紙先機能）　：Ｐａｐｅｒ　Ｏｕｔｐｕｔ　Ｔｒａｙ（排紙トレー）」、「Ｆｏｎｔ　Ｏｐｔｉｏｎｓ（フォント指定機能）」、「Ｎｅｔｗｏｒｋ　Ｓｃｈｅｄｕｌｅ…」が表示されている。なお、上記において、Ｒｅｓｏｌｕｔｉｏｎ、Ｄｅｓｔｉｎａｔｉｏｎ、Ｆｏｎｔ　Ｏｐｔｉｏｎｓ、Ｎｅｔｗｏｒｋ　Ｓｃｈｅｄｕｌｅ…は設定項目を示し、Ｐａｐｅｒ　Ｏｕｔｐｕｔ　Ｔｒａｙは設定によって表示が変わる機能を示している。
【００１２】
なお、Ｎ　ｉｎ　１印刷機能とは、２頁から１６頁の範囲を１枚に集約して印刷させる機能であり、両面印刷機能とは、左右開きで両面印刷するか上下開きで両面印刷するかを設定する機能であり、ソートモード機能とは、複数部印刷するときなどに、部単位で印刷するのか頁単位で印刷するのか指定する機能であり、奇数偶数印刷機能とは、奇数頁のみ印刷するか偶数頁のみ印刷するか指定する機能である。
【００１３】
また、表紙機能とは、印刷する際に表紙や裏表紙を追加する機能であり、差込紙機能とは、印刷する際に差込紙を追加する機能であり、綴じ代指定機能とは、製本するときなどに必要な、綴じるスペースを追加することを指定する機能であり、ステープル／ホールパンチ機能とは、印刷した用紙にステープルやホールパンチを行う機能であり、ウォーターマーク機能とは、印刷する際に丸秘マーク等の文字の透かしを追加できる機能であり、オーバーレイイメージ機能とは、画像を透かし印刷できる機能である。
【００１４】
また、解像度機能とは、印刷する際の解像度を調節できる機能であり、排紙先機能とは、印刷した用紙を排出するトレーを指定する機能であり、フォント指定機能とは、印刷する字体を指定する機能である。
【００１５】
前記ホストコンピュータ１１は、図２に示すデータ入力処理を行うようになっている。すなわち、Ｓ１にて、設定内容確認画面２２に一覧表示されている各種機能の１つ、例えば、１つ目のタブ「Ｅｎｌａｒｇｅ／Ｒｅｄｕｃｅ（拡大／縮小印刷機能）　：Ａｃｔｕａｌ　Ｓｉｚｅ（等倍）…」をクリックして入力データの読み込みを行うと、Ｓ２にて、この入力情報を表示画像メモリに格納する。そして、Ｓ３にて、入力に対応した画像パーツに変換し、Ｓ４にて、前記ディスプレイ１２への表示が行われる。すなわち、前記ディスプレイ１２には、図３に示すようにＥｎｌａｒｇｅ／Ｒｅｄｕｃｅ（拡大／縮小印刷機能）の詳細設定用画面２３が設定内容確認画面２２の右側に並んで表示され、しかも、Ｅｎｌａｒｇｅ／Ｒｅｄｕｃｅ（拡大／縮小印刷機能）のタブとその詳細設定用画面２３が１つの繋がった画面とし表示される。
【００１６】
この状態で、Ｓ５にて、詳細設定画面２３の機能選択操作を行うと、例えば、「Ａｃｔｕａｌ　Ｓｉｚｅ」を選択操作すると、Ｓ６にて、選択された入力データの読み込みを行い、Ｓ７にて、入力データにより対応するテキストを更新し、Ｓ８にて、更新した内容を表示画像メモリに格納する。そして、Ｓ９にて、変更があった項目に対応するテキストデータに変更し、Ｓ１０にて、前記ディスプレイ１２への表示を行う。すなわち、ディスプレイ１２の表示が図３から図４に切り替わる。すなわち、設定内容確認画面２２における「Ｅｎｌａｒｇｅ／Ｒｅｄｕｃｅ（拡大／縮小印刷機能）　：Ａｃｔｕａｌ　Ｓｉｚｅ（等倍）」のテキストデータが、デフォルト表示から明確な表示に切り替わる。すなわち、図４の表示は、詳細設定画面２３にて所望の機能を選択してタブの表示が変わり、それが保持されている状態を示している。
なお、Ｓ５にて機能の選択を行わなければ、Ｓ１１にて、画像パーツを元に戻し、Ｓ１２にて、ディスプレイ１２の表示を図３の前の表示に戻す。
【００１７】
この状態で設定内容確認画面２２に表示されている他の項目のタブを選択すると、例えば、２つ目のタブ「Ｄｕｐｌｅｘ（両面印刷機能）　：Ｎｏｎｅ（なし）…」を選択すると、ディスプレイ１２の表示が図４から図５に切り替わる。すなわち、Ｄｕｐｌｅｘ（両面印刷機能）の詳細設定用画面２３が設定内容確認画面２２の右側に並んで表示され、しかも、Ｄｕｐｌｅｘ（両面印刷機能）のタブとその詳細設定用画面２３が１つの繋がった画面とし表示される。
【００１８】
この状態で、例えば、詳細設定用画面２３におけるＤｕｐｌｅｘ（両面印刷機能）の左側のアイコンをクリックすると、ディスプレイ１２の表示が図５から図６に切り替わる。すなわち、設定内容確認画面２２における「Ｄｕｐｌｅｘ（両面印刷機能）：Ｌｏｎｇ　Ｅｄｇｅ」のテキストデータがデフォルト表示から明確な表示に切り替わる。
【００１９】
このような構成においては、一つ目のタブには２つの設定項目があり、二つ目のタブには３つの設定項目があり、三つ目のタブには６つの設定項目があり、四つ目のタブには１つの設定項目があり、五つ目のタブには３つの設定項目があるが、これらの設定項目及びその設定内容がすべて設定内容確認画面２２に一覧表示されるので、ユーザは全てのタブの設定内容を一目で容易に確認することができる。従って、ユーザは常に全てのタブについてどのような内容が設定されているかを確認しながら設定作業を容易に行うことができる。
【００２０】
【発明の効果】
以上、本発明によれば、各機能の設定項目の設定確認が容易にできて設定作業が容易にできる。
【図面の簡単な説明】
【図１】本発明の実施の形態を示すブロック図。
【図２】同実施の形態においてプリンタドライバに印刷情報を設定する場合のディスプレイの表示変更処理を示す流れ図。
【図３】同実施の形態においてプリンタドライバに拡大／縮小印刷機能の印刷情報を設定する場合のディスプレイの表示画面を示す図。
【図４】図３の詳細設定用画面においてＡｃｔｕａｌ　Ｓｉｚｅを設定したときのディスプレイの表示画面を示す図。
【図５】同実施の形態においてプリンタドライバに両面印刷機能の印刷情報を設定する場合のディスプレイの表示画面を示す図。
【図６】図５の詳細設定用画面においてＬｏｎｇ　Ｅｄｇｅを設定したときのディスプレイの表示画面を示す図。
【符号の説明】
１１…ホストコンピュータ
１２…ディスプレイ
１８…プリンタドライバ
【図１】
2004054432.tif 000003
【図２】
2004054432.tif 000004
【図３】
2004054432.tif 000005
【図４】
2004054432.tif 000006
【図５】
2004054432.tif 000007
【図６】
2004054432.tif 000008